(57)【要約】【課題】乾式工法によって石膏ボードを建物躯体の内壁面に取り付けるようにし、又、建物躯体の内壁面に凹凸の不揃い面があっても、石膏ボードを面揃いに取り付けることができるようにした。【解決手段】  建物躯体１の天井部１ｂに固着した天井部側横桟８と床部１ｃに固着した床部側横桟９との間に下地材である軽量鉄骨製縦桟２が定位置に係止され、建物躯体１の内壁面１ａと軽量鉄骨製縦桟２との間に該縦桟２を躯体内壁面１ａにビス止めするための縦桟ビス止め金具３が設けられ、該縦桟ビス止め金具３は、躯体内壁面１ａに当て付けられてビス４によって固着される壁体ビス止め板片５と、該壁体ビス止め板片５に一体形成され、その上下端部が天井部側横桟８及び床部側横桟９に係止された軽量鉄骨製縦桟２を、躯体内壁面１ａに対してその自由な対抗間隔位置Ｐ１又はＰ２で ビス６によって止着可能な縦桟ビス止め枠片７とからなり、該軽量鉄骨製縦桟２に、内装材である石膏ボード１０が固着されてなる。【選択図】図５
2019085733.tif 000002
【特許請求の範囲】
【請求項１】
建物躯体の天井部に固着した天井部側横桟と床部に固着した床部側横桟との間に下地材である軽量鉄骨製縦桟が定位置に係止され、建物躯体の内壁面と軽量鉄骨製縦桟との間に該縦桟を建物躯体の内壁面にビス止めするための縦桟ビス止め金具が設けられ、該縦桟ビス止め金具は、躯体内壁面に当て付けられてビスによって固着される壁体ビス止め板片と、該壁体ビス止め板片に一体形成され、その上下端部が天井部側横桟及び床部側横桟に係止された軽量鉄骨製縦桟を、建物躯体の内壁面が一部凹凸状を呈しそのため内壁面に段差が現れる内壁面の該段差を吸収する自由な対抗間隔位置でビスによって止着可能な縦桟ビス止め枠片とからなり、該軽量鉄骨製縦桟に、内装材である石膏ボードが固着されてなる内装用石膏ボード取付装置。
【請求項２】
前記縦桟ビス止め枠片は、前記壁体ビス止め板片の長手方向中央部端縁に同一面上に一体に立ち上がり前記縦桟の幅員に相当する板幅の基板片部と該基板片部の両端部をその板面に対してＬ字状に折曲してなる一対の縦桟ビス止め片部とからなり、該一対の縦桟ビス止め片部を前記軽量鉄骨製縦桟に嵌め入れて、前記躯体内壁面の段差を吸収する自由な対抗間隔位置で前記一対の縦桟ビス止め片部が前記縦桟にビスによって止着されるようになっている請求項１に記載の内装用石膏ボード取付装置。
【請求項３】
前記縦桟ビス止め金具は、その展開状態において、下方側の長方形帯板状片と上方側の長方形帯板状片とを並行に設け、両者をその中央部で前記縦桟の幅員に相当する板幅の連結部で一体に連結して、全体として横長矩形状の板状体からなり、展開状態からの組み立て状態においては、下方側の長方形帯板状片は、そのまま壁体ビス止め板片を形成し、これに対し上方側の長方形帯板状片は、該長方形帯板状片のうち、上記連結部に相当する板幅の板状部を基板片部とし、該基板片部の両端部をその板面に対してＬ字状に折曲して、前記基板片部を挟んで平面コ字状に対抗する両帯板状片を一対の縦桟ビス止め片部とし、前記基板片部１１と一対の縦桟ビス止め片部１２，１２とによって縦桟ビス止め枠片７を形成してなる請求項１又は２に記載の内装用石膏ボード取付装置。
【請求項４】
前記軽量鉄骨製縦桟は、リップ付き溝形鋼からなる請求項１〜３の何れかに記載の内装用石膏ボードの取付装置。
【請求項５】
前記軽量鉄骨製縦桟は、角筒状の鋼管からなる請求項１〜３の何れかに記載の内装用石膏ボードの取付装置。
【請求項６】
一対の縦桟ビス止め片部をリップ付き溝形鋼からなる軽量鉄骨製縦桟に嵌め入れて、前記一対の縦桟ビス止め片部を前記縦桟にビスによって止着する際に、前記ビスに押されて前記縦桟が変形するのを阻止するための縦桟変形阻止片が、縦桟ビス止め金具の基板片部に、前記一対の縦桟ビス止め片部間にあって、これに平行に突設されてなる請求項１〜４の何れかに記載の内装用石膏ボードの取付装置。
【請求項７】
前記縦桟変形阻止片は、前記縦桟ビス止め金具の展開状態において、上方側の長方形帯板状片を基点として、下方側の長方形帯板状片に向かって切り抜き形成されてなり、前記縦桟ビス止め金具の組み立て状態において、前記縦桟変形阻止片は、上方側の長方形帯板状片の基板片部の基点より切り起こされて縦桟ビス止め金具の基板片部に、前記一対の縦桟ビス止め片部間にあって、これに平行に突設されてなる請求項６に記載の内装用石膏ボードの取付装置。
【請求項８】
内装用の石膏ボードを建物躯体の段差の生起している内壁面に面して取り付けられる内装用石膏ボード取付方法であって、先ず、建物躯体の天井部に天井部側横桟を固着し、床部に床部側横桟を固着し、次に、複数の縦桟ビス止め金具をビス止めすることなく内装材である軽量鉄骨製縦桟に嵌め込んだ状態で、該軽量鉄骨製縦桟を天井部側横桟と床部側横桟とにわたって係止し、次に複数の縦桟ビス止め金具を軽量鉄骨製縦桟に上下適当間隔に配置して各縦桟ビス止め金具の壁体ビス止め板片を建物躯体の段差のある内壁面にビス止めし、次に各縦桟ビス止め金具の縦桟ビス止め枠片を、内壁面に段差が生起している内壁面の該段差を吸収する自由な対抗間隔位置で軽量鉄骨製縦桟にビスによって止着し、最後に石膏ボードを軽量鉄骨製縦桟に固着してなる内装用石膏ボードの取付方法。
【発明の詳細な説明】
【技術分野】
【０００１】
本発明は、建物躯体であるＲＣ、ＡＬＣ、コンクリート或いはブロックの内壁面に面して内装材である石膏ボードを取り付けるための石膏ボードの取付装置とその取付方法に関する。
【背景技術】
【０００２】
従来、建物躯体であるＡＬＣ板の内壁面に内装用の石膏ボードを取り付ける手段として、ＧＬ（Ｇｙｐｓｕｍ  Ｌｉｎｉｎｇ）工法が多用されている。このＧＬ工法では、セメント系の接着剤粉末を水で練り合わせ、これを団子状にして建物内壁面の要所に付着させ、その上から石膏ボードを押し付けて該団子状のセメント系接着剤の硬化によって固定するようにしたもので、下地骨組みを不要であり、しかも、建物内壁面に凹凸の不揃い面があっても、この不揃いを団子状接着剤に対する押し付け力を加減することによって吸収し石膏ボードが面揃いに取り付けられるようになっている。
【０００３】
しかしながら、このようなＧＬ工法では、水練りした接着剤を建物躯体の内壁面に団子状に付着させるのに非常に労力を要する上に、付着させた接着剤が垂れ落ちし易いという難点があった。そこで、このＧＬ工法の改良として、本出願人によって、下記の特許文献１に示すように団子状接着剤に接着剤受け片を介在させることによって該接着剤の垂れ落ちを防ぐようにしたＧＬ工法が提案されている。
【０００４】
しかし、この改良されたＧＬ工法にあっても、セメント系の接着剤粉末を水で練り合わせ、これを団子状としたものであるから充分に硬化せず、又、石膏ボードは水分を含み易いため、これが団子状接着剤の硬化を一層妨げ、これが原因で、これらの湿式工法では石膏ボードの表面に黴びが発生しやすいという致命的な難点があった。
【発明の概要】
【発明が解決しようとする課題】
【０００５】
本発明は、特許文献１に示すような湿式工法に対して乾式工法によって石膏ボードを建物躯体の内壁面に取り付けるようにし、これによって石膏ボードの表面に黴びが発生することなく、又、建物躯体の内壁面に凹凸の不揃い面があっても、石膏ボードを面揃いに取り付けることができるようにした石膏ボードの取付装置とその取付方法を提案することを課題とする。
【課題を解決するための手段】
【０００６】
上記課題を解決するための手段を、後述する実施形態の参照符号を付して説明すると、請求項１は、建物躯体１の天井部１ｂに固着した天井部側横桟８と床部１ｃに固着した床部側横桟９との間に下地材である軽量鉄骨製縦桟２が定位置に係止され、建物躯体１の内壁面１ａと軽量鉄骨製縦桟２との間に該縦桟２を躯体内壁面１ａにビス止めするための縦桟ビス止め金具３が設けられ、該縦桟ビス止め金具３は、躯体内壁面１ａに当て付けられてビス４によって固着される壁体ビス止め板片５と、該壁体ビス止め板片５に一体形成され、その上下端部が天井部側横桟８及び床部側横桟９に係止された軽量鉄骨製縦桟２を、躯体内壁面１ａに対してその自由な対抗間隔位置Ｐ１又はＰ２でビス６によって止着可能な縦桟ビス止め枠片７とからなり、該軽量鉄骨製縦桟２に、内装材である石膏ボード１０が固着されてなる内装用石膏ボード取付装置に係る。
【０００７】
又、請求項２は、前記縦桟ビス止め枠片７は、前記壁体ビス止め板片５の長手方向中央部端縁に同一面上に一体に立ち上がり前記縦桟２の幅員に相当する板幅の基板片部１１と該基板片部１１の両端部をその板面に対してＬ字状に折曲してなる一対の縦桟ビス止め片部１２，１２とからなり、該一対の縦桟ビス止め片部１２，１２を前記軽量鉄骨製縦桟２に嵌め入れて、前記躯体内壁面１ａの段差ｍを吸収する自由な対抗間隔位置Ｐ１又はＰ２で前記一対の縦桟ビス止め片部１２，１２が前記縦桟２にビス６によって止着されるようになっている請求項１に記載の内装用石膏ボード取付装置に係る。
【０００８】
又、請求項３は、前記縦桟ビス止め金具３は、その展開状態において、下方側の長方形帯板状片１３と上方側の長方形帯板状片１４とを並行に設け、両者をその中央部で前記縦桟２の幅員に相当する板幅の連結部１５で一体に連結して、全体として横長矩形状の板状体１６からなり、展開状態からの組み立て状態においては、下方側の長方形帯板状片１３は、そのまま壁体ビス止め板片５を形成し、これに対し上方側の長方形帯板状片１４は、該帯板状片のうち、上記連結部１５に相当する板幅の板状部を基板片部１１とし、該基板片部１１の両端部をその板面に対してＬ字状に折曲して前記基板片部１１を挟んで平面コ字状に対抗する両帯板状片を一対の縦桟ビス止め片部１２，１２として、前記基板片部１１と一対の縦桟ビス止め片部１２，１２とによって縦桟ビス止め枠片７を形成してなる請求項１又は２に記載の内装用石膏ボード取付装置に係る。
【０００９】
又、請求項４は、前記軽量鉄骨製縦桟２は、リップ付き溝形鋼からなる請求項１〜３の何れかに記載の内装用石膏ボードの取付装置に係る。
【００１０】
又、請求項５は、前記軽量鉄骨製縦桟２は、角筒状の鋼管からなる請求項１〜３の何れかに記載の内装用石膏ボードの取付装置に係る。
【００１１】
又、請求項６は、一対の縦桟ビス止め片部１２，１２をリップ付き溝形鋼からなる軽量鉄骨製縦桟２に嵌め入れて、前記一対の縦桟ビス止め片部１２，１２を前記縦桟２にビス６によって止着する際に、前記ビス６に押されて前記縦桟２が変形するのを阻止するための縦桟変形阻止片１７が、縦桟ビス止め金具３の基板片部１１に、前記一対の縦桟ビス止め片部１２，１２間にあって、これに平行に突設されてなる請求項１〜４の何れかに記載の内装用石膏ボードの取付装置に係る。
【００１２】
又、請求項７は、前記縦桟変形阻止片１７は、前記縦桟ビス止め金具３の展開状態において、上方側の長方形帯板状片１４を基点１７ａとして、下方側の長方形帯板状片１３に向かって切り抜き形成されてなり、前記縦桟ビス止め金具３の組み立て状態において、前記縦桟変形阻止片１７は、上方側の長方形帯板状片１４の基点１７ａより切り起こされて縦桟ビス止め金具３の基板片部１１に、前記一対の縦桟ビス止め片部１２，１２間にあって、これに平行に突設されてなる請求項６に記載の内装用石膏ボードの取付装置に係る。
【００１３】
又、請求項８は、内装用の石膏ボード１０を建物躯体１の段差ｍの生起している内壁面１ａに面して取り付ける内装用石膏ボード取付方法であって、先ず、建物躯体１の天井部１ｂに天井部側横桟８を固着し、床部１ｃに床部側横桟９を固着し、次に、複数の縦桟ビス止め金具３をビス止めすることなく内装材である軽量鉄骨製縦桟２に嵌め込んだ状態で、該軽量鉄骨製縦桟２を天井部側横桟８と床部側横桟９とにわたって係止し、次に複数の縦桟ビス止め金具３を軽量鉄骨製縦桟２に上下適当間隔に配置して各縦桟ビス止め金具３の壁体ビス止め板片５を建物躯体１の段差ｍある内壁面１ａにビス止めし、次に各縦桟ビス止め金具３の縦桟ビス止め枠片７を、内壁面１ａに段差ｍが生起している内壁面１ａの該段差ｍを吸収する自由な対抗間隔位置Ｐ１又はＰ２で軽量鉄骨製縦桟２にビス６によって止着し、最後に石膏ボード１０を軽量鉄骨製縦桟２に固着してなる内装用石膏ボードの取付方法に係る。
【発明の効果】
【００１４】
請求項１に係る発明によれば、建物躯体１の天井部１ｂに固着した天井部側横桟８と床部１ｃに固着した床部側横桟９との間に下地材である軽量鉄骨製縦桟２が係止される。すなわち、天井部側横桟８と床部側横桟９とは建物躯体１の内壁面１ａから予め定位置に天井部１ｂと床部１ｃにビスやボルトで固着される。したがって、天井部側横桟８と床部側横桟９とにわたって係止される軽量鉄骨製縦桟２も建物躯体１の内壁面１ａから定位置に取り付けられることになる。
【００１５】
しかるに、建物躯体１の内壁面１ａは、図５に示すように、所定幅、例えば６００ｍｍ幅のＡＬＣ板が幅方向に隣接して配設されるようになっており、これがために互いに隣接するＡＬＣ板の内壁面１ａは、図示のように段差ｍの発生を避けることができない。したがって、軽量鉄骨製縦桟２は、この内壁面１ａの段差ｍを吸収して定位置に取り付けられなければならない。
【００１６】
これを解決するために、請求項１に係る発明にあっては、建物躯体１の内壁面１ａと軽量鉄骨製縦桟２との間に該縦桟２を躯体内壁面１ａにビス止めするための縦桟ビス止め金具３が設けられ、該縦桟ビス止め金具３は、躯体内壁面１ａに当て付けられてビス４によって固着される壁体ビス止め板片５と、該壁体ビス止め板片５に一体形成され、その上下端部が天井部側横桟１ｂ及び床部側横桟１ｃに係止された軽量鉄骨製縦桟２を、建物躯体の内壁面１ａが一部凹凸状を呈しそのため内壁面１ａに段差ｍが現れる内壁面１ａの該段差ｍを吸収する自由な対抗間隔位置Ｐ１又はＰ２でビス６によって止着可能な縦桟ビス止め枠片７とからなる。すなわち、図４の（ａ）、（ｃ）にも示すように、その上下端部が天井部側横桟８及び床部側横桟９に定位置に係止されている軽量鉄骨製縦桟２に対して、二点鎖線で示すように不揃い面からなる建物躯体１の内壁面１ａの段差ｍを吸収する対抗間隔位置Ｐ１又はＰ２で縦桟ビス止め枠片７によって軽量鉄骨製縦桟２がビス６で止着されるため、建物躯体１の内壁面１ａが凹凸状に不揃いの段差ｍがあっても、この段差ｍを吸収して軽量鉄骨製縦桟２を定位置に取り付けることが可能となり、したがって、定位置の軽量鉄骨製縦桟２に内装材である石膏ボード１０が定位置に取り付けられることになる。
【００１７】
又、本発明によれば、軽量鉄骨製縦桟２を段差ｍのある内壁面１ａに取り付けるために両者間に縦桟ビス止め金具３を介在させるだけであるから安価に製作することができると共に、従来の水分の含んだ団子状の接着剤によって石膏ボードを取り付けるという所謂湿式工法によると石膏ボードの表面に黴びが発生すると恐れがあるのに対し、縦桟ビス止め金具３という所謂乾式工法によって石膏ボード１０を取り付けるようになっているため、当然のことながら石膏ボード１０の表面に黴びが発生することはなく長期にわたって安定して使用することができる。
【００１８】
又、請求項２は、前記縦桟ビス止め枠片７は、前記壁体ビス止め板片５の長手方向中央部端縁に同一面上に一体に立ち上がり前記縦桟２の幅員に相当する板幅の基板片部１１と該基板片部１１の両端部をその板面に対してＬ字状に折曲してなる一対の縦桟ビス止め片部１２，１２とからなり、該一対の縦桟ビス止め片部１２，１２を前記軽量鉄骨製縦桟２に嵌め入れて、前記躯体内壁面１ａの段差ｍを吸収する前記縦桟２の自由な対抗間隔位置Ｐ１又はＰ２で前記一対の縦桟ビス止め片部１２，１２が前記縦桟２にビス６によって止着されるようになっているため、建物躯体１の内壁面１ａの一部が、図４（ａ）、（ｃ）又は図５に示すように凹凸状を呈し、内壁面１ａに段差ｍが生起していても、この段差ｍを吸収して軽量鉄骨製縦桟２を定位置に取り付けることができる。
【００１９】
又、請求項３は、前記縦桟ビス止め金具３は、その展開状態において、下方側の長方形帯板状片１３と上方側の長方形帯板状片１４とを並行に設け、両者をその中央部で前記縦桟２の幅員に相当する板幅の連結部１５で一体に連結して、全体として横長矩形状の板状体１６からなるため、製作工程としては、金属板を簡単なプレス加工によって、連結部１５によって一体に並行して連結された一対の長方形帯板状片１３，１４を製作することができ、又、ビス挿通孔１８，１９も同時に形成することができる。そして、これらの各部片は横長矩形状の板状体１６によって形成することができるから、金属板によるプレス加工において無駄なプレス屑が殆ど発生せず、プレス加工工程において効率的に製作することができる。そして、下方側の長方形帯板状片１３は、そのまま縦桟ビス止め金具３の壁体ビス止め板片５を形成することになり、上方側の長方形帯板状片１４は、その中央部で上記連結部１５に相当する板幅の板状部がそのまま縦桟ビス止め金具３の基板片部１１を形成することになり、そして、該基板片部１１の両端部をその板面に対してＬ字状に曲げ加工して該基板片部１１を挟んで平面コ字状に対抗する両端部帯板状片が一対の縦桟ビス止め片部１２，１２を形成し、基板片部１１と一対の縦桟ビス止め片部１２，１２によって縦桟ビス止め枠片７を形成することになるから、極めて簡単のプレス曲げ加工によって縦桟ビス止め金具３を製作することができ、製作費が極めて安価となる。
【００２０】
又、請求項４又は５は、前記軽量鉄骨製縦桟２は、リップ付き溝形鋼又は角筒状の鋼管からなるから、市販品をそのまま採用することができる。
【００２１】
又、請求項６は、一対の縦桟ビス止め片部１２，１２をリップ付き溝形鋼からなる軽量鉄骨製縦桟２に嵌め入れて、前記一対の縦桟ビス止め片部１２，１２を前記縦桟２にビス６によって止着する際に、前記ビス６に押されて前記縦桟２が変形するのを阻止するための縦桟変形阻止片１７が、縦桟ビス止め金具３の基板片部１１に、前記一対の縦桟ビス止め片部１２，１２間にあって、これに平行に突設されてなることを特徴とする。
【００２２】
前記一対の縦桟ビス止め片部１２，１２にはビス挿通孔１９が形成されており、これに対し軽量鉄骨製縦桟２にはビスねじ込み孔は何ら形成されておらず、前記一対の縦桟ビス止め片部１２，１２を前記縦桟２にビス６によって止着する際には、周知の電動ビスねじ込み機によって一対の縦桟ビス止め片部１２，１２のビス挿通孔１９，１９からビス６を軽量鉄骨製縦桟２に強制的に押圧力をかけ、タップねじ孔をねじ切り形成しながらねじ込むようになっている。これは、軽量鉄骨製縦桟２はその肉厚が薄いため、ビスねじ込み途上で軽量鉄骨製縦桟２に容易にタップねじ孔を形成することができるが、ビスねじ込み前にビス６の押圧力が軽量鉄骨製縦桟２に負荷するため、軽量鉄骨製縦桟２がリップ付き溝形鋼からなる場合には、図９に示すように、ビス６に押されて溝部を狭めるように該リップ付き溝形鋼の互いの対抗するリップ部が内側に変形し、これがためにビス６をリップ付き溝形鋼からなる縦桟２にねじ込むことができない事態が発生する。この縦桟２の変形を阻止するために、図１１又は図１２に示すように、縦桟変形阻止片１７、１７がリップ付き溝形鋼の互いの対抗するリップ部の内側に突設され、ビス６のねじ込みの際のビス６の押圧力によるリップ付き溝形鋼からなる縦桟２の変形が縦桟変形阻止片１７によって阻止されるようになっている。これによって、リップ付き溝形鋼からなる縦桟２は変形することなくビス６を円滑に縦桟２にねじ込むことができる。
【００２３】
なお、請求項５に示すように、軽量鉄骨製縦桟２が角筒状の鋼管からなる場合には（図８参照）、ビス６のねじ込み途上でビス６の押圧力が軽量鉄骨製縦桟２に負荷するも、該軽量鉄骨製縦桟が角筒状の鋼管から形成されているため、鋼管全周の鋼壁の耐久力によって軽量鉄骨製縦桟２が変形することはない。
【００２４】
又、請求項７は、前記縦桟変形阻止片１７は、図１０に示すように、前記縦桟ビス止め金具３の展開状態において、上方側の長方形帯板状片１４を基点１７ａとして、下方側の長方形帯板状片１３に向かって切り抜き形成されてなり、前記縦桟ビス止め金具３の組み立て状態において、前記縦桟変形阻止片１７は、図１１に示すように、上方側の長方形帯板状片１４の基点１７ａより切り起こされて縦桟ビス止め金具３の基板片部１１に、前記一対の縦桟ビス止め片部１２，１２間にあって、これに平行に突設されてなるため、製作工程としては、金属板を簡単なプレス曲げ加工によって、連結部１５によって一体に並行して連結された一対の長方形帯板状片１３，１４を製作する際に、図１０に示すように、縦桟変形阻止片１７も同時に切り抜き形成すると共に切り起こすことによって、縦桟変形阻止片１７を略同時に形成することができ、極めて安価に製作することができる。
【００２５】
又、請求項８は、内装用の石膏ボード１０を建物躯体１の段差ｍの生起している内壁面１ａに面して取り付ける内装用石膏ボード取付方法であって、天井部側横桟８と床部側横桟９とは建物躯体１の内壁面１ａの段差ｍに関係なく、定位置に取り付けられるようになっており、この両横桟８，９間に軽量鉄骨製縦桟２が係止されるのであるから、軽量鉄骨製縦桟２も定位置に取り付けられることになり、軽量鉄骨製縦桟２に取り付けられる石膏ボード１０も当然に定位置に取り付けられることになる。
【００２６】
このような制約下で、建物躯体１の内壁面１ａが、図４の（ａ）、（ｃ）、図７又は図８に二点鎖線で示すように、又図５に示すように、一部凹凸状を呈し段差ｍが生起している場合に、この段差ｍを吸収して定位置の軽量鉄骨製縦桟２が縦桟ビス止め金具３によって建物躯体１の内壁面１ａに取り付けられるようになっている。
【００２７】
すなわち、この制約を克服するために、図１３の（ａ）に示すように、先ず、建物躯体１の天井部１ｂの予め定められた位置に天井部側横桟８を固着し、同じく床部１ｃの予め定められた位置に床部側横桟９を固着し、次に、（ｂ）に示すように、複数の縦桟ビス止め金具３をビス止めすることなく内装材である軽量鉄骨製縦桟２に嵌め込んだ状態で、該軽量鉄骨製縦桟２を天井部側横桟８と床部側横桟９とにわたって係止する。
【００２８】
このように軽量鉄骨製縦桟２を両横桟８，９に係止する前に予め縦桟ビス止め金具３を軽量鉄骨製縦桟２に嵌め込んでおくのは、もし軽量鉄骨製縦桟２を両横桟８，９に係止した後では、縦桟ビス止め金具３を軽量鉄骨製縦桟２に嵌め込むことができないからである。又、複数の縦桟ビス止め金具３をビス止めすることなく軽量鉄骨製縦桟２に嵌め込むのは、図１を参照すれば分かるように、複数の縦桟ビス止め金具３を軽量鉄骨製縦桟２に沿って上下適当間隔に建物躯体１の内壁面１ａにビス止めするためと、その後に内壁面１ａにビス止めされた縦桟ビス止め金具３を軽量鉄骨製縦桟２にビス止めするためである。
【００２９】
図５は、建物躯体１の横方向に隣接する内壁面１ａ，１ａに段差ｍが生起している場合を示している。図１に図示はしていないが、図４の（ａ）、（ｃ）、図７又は図８に示すように、軽量鉄骨製縦桟２の長手方向上下に隣接する内壁面１ａにも、二点鎖線で示すように段差ｍが生起しておれば、段差ｍの生起した内壁面１ａ，１ａに夫々縦桟ビス止め金具３の壁体ビス止め板片５をビス止めすれば、縦桟２をビス６によって係止する縦桟ビス止め金具３の縦桟ビス止め枠片７は前記段差ｍ分だけ縦桟２に対するビス止め位置が変わり、この段差ｍ分を吸収した位置で縦桟２にビス止めされなければならない。このような工程を経ることの必要上、複数の縦桟ビス止め金具３をビス止めすることなく軽量鉄骨製縦桟２に嵌め込んだ状態で軽量鉄骨製縦桟２を上記天井部側横桟８と床部側横桟９とにわたって定位置に係止されるようにしたものである。
【００３０】
しかる後に、（ｃ）に示すように軽量鉄骨製縦桟２に嵌め込んだ複数の縦桟ビス止め金具３を図１に示すように上下適当間隔に配置して、その壁体ビス止め板片５によって縦桟ビス止め金具３を建物躯体１の内壁面１ａにビス止めする。
【００３１】
その次に、（ｄ）に示すように縦桟２に嵌め込まれている縦桟ビス止め金具３の縦桟ビス止め枠片７を縦桟２にビス６によって止着するのであるが、縦桟ビス止め金具３は躯体内壁面１ａに生起する段差ｍ分だけ縦桟ビス止め枠片７の縦桟ビス止め片部１２，１２による縦桟２に対するビス止めする位置は変化しており、この変化した内壁面１ａからの対抗間隔位置Ｐ１又はＰ２で縦桟ビス止め片部１２，１２は縦桟２にビス６によって止着されることになり、これによって定位置に上下に真直に取り付けられる縦桟２に対して、上記偏差ｍ分だけ縦桟２の幅方向に変位した位置Ｐ１又はＰ２で縦桟ビス止め片部１２，１２が縦桟２にビス６によって止着されることになる。
【００３２】
このようにして建物躯体１の内壁面１ａの段差ｍを吸収して定位置の縦桟２は縦桟ビス止め金具３によってビス６によって止着され、この定位置の縦桟２に石膏ボード１０が安定してビス等によって固着される。
【図面の簡単な説明】
【００３３】
【図１】本発明によって内装用石膏ボードを建物躯体の内壁面に取り付ける状態を示す斜視図である。
【図２】本発明に係る縦桟ビス止め金具の展開状態を示す平面図である。
【図３】同組み立て状態の縦桟ビス止め金具の斜視図である。
【図４】縦桟ビス止め金具を用いて軽量鉄骨製縦桟を建物躯体の内壁面に取り付けた状態を示し、そのうち（ａ）は側面図、（ｂ）は正面図、（ｃ）は（ａ）のＡ−Ａ線断面図である。
【図５】石膏ボードを建物躯体の内壁面に取り付けた状態の横断平面図である。
【図６】軽量鉄骨製縦桟の一部を示し、これにビスがねじ込まれる位置を仮想線で示す。
【図７】本発明の更に他の実施形態の縦桟ビス止め金具を示すもので、幅広の軽量鉄骨製縦桟を建物躯体の内壁面に取り付けた状態の横断平面図である。
【図８】本発明の更に他の実施形態の縦桟ビス止め金具を示すもので、幅広の軽量鉄骨製縦桟を建物躯体の内壁面に取り付けた状態の横断平面図である。
【図９】本発明に係る一部実施形態である軽量鉄骨製縦桟の変形状態を説明する説明図である。
【図１０】本発明の更に他の実施形態の縦桟ビス止め金具の展開状態を示す平面図である。
【図１１】同組み立て状態を示す斜視図である。
【図１２】同縦桟ビス止め金具を建物躯体の内壁面に取り付けた状態を示し、そのうち、（ａ）は側面図、（ｂ）は正面図、（ｃ）は（ａ）のＢ−Ｂ線断面図である。
【図１３】本発明の一実施形態の石膏ボードの取付方法を示す説明図である。
【発明を実施するための形態】
【００３４】
以下に本発明の好適な実施形態を図面に基づいて説明すると、図１は、本発明に係る縦桟ビス止め金具３によって内装用石膏ボード１０が建物躯体１の内壁面１ａに取り付けられる状態を示すもので、建物躯体１の天井部１ｂにランナーと称される下向きコ字状の軽量鉄骨製の天井部側横桟８をビス等の固定具で取り付け、床部１ｃに床部側横桟９を取り付け、これに同じく上向きコ字状のランナーと称される軽量鉄骨製の床部側横桟９がビス等の固定具で取り付けられる。
【００３５】
両横桟８，９間にスタッドあるいはＭバーと称される軽量鉄骨製縦桟２が係止されると共に、該軽量鉄骨製縦桟２は、図示のように上下適当間隔に配された複数の縦桟ビス止め金具３によって建物躯体１の内壁面１ａに取り付けられる。
【００３６】
図２は、本発明の要部である縦桟ビス止め金具３の未だ製品として完成していない展開状態を示すもので、例えば６２ｍｍ×１９ｍｍ幅の下方側の長方形帯板状片１３と６２ｍｍ×１４ｍｍ幅の上方側の長方形帯板状片１４とを並行に設け、両者をその中央部で前記縦桟２の幅員に相当する例えば２４ｍｍの板幅の連結部１５で一体に連結して、全体として６２ｍｍ×４０ｍｍ幅の横長矩形状の板状体１６からなる。このような板状体１６は、金属板によって製作されるもので、製作工程としては、金属板を簡単なプレス加工によって、連結部１５によって一体に並行して連結された一対の長方形帯板状片１３，１４を製作することができ、又、両長方形帯板状片１３，１４のビス挿通孔１８，１９も同時に形成することができる。そして、これらの各部片１３〜１５は横長矩形状の板状体１６によって形成することができるから、金属板によるプレス加工において無駄なプレス屑が殆ど発生せず、プレス加工工程において効率的に製作することができる。
【００３７】
図３は、この展開状態のプレス加工した金属板を曲げ加工によって縦桟ビス止め金具３に組み立てたもので、下方側の長方形帯板状片１３は、そのまま縦桟ビス止め金具３の壁体ビス止め板片５を形成することになり、上方側の長方形帯板状片１４は、その中央部で上記連結部１５に相当する板幅の板状部がそのまま縦桟ビス止め金具３の基板片部１１を形成することになり、そして、該基板片部１１の両端部（図２の鎖線部分ｅ）をその板面に対してＬ字状に曲げ加工して該基板片部１１を挟んで平面コ字状に対抗する両端部帯板状片が鎖線で示す軽量鉄骨製縦桟２をビス止めするための一対の縦桟ビス止め片部１２，１２を形成し、基板片部１１と一対の縦桟ビス止め片部１２，１２によって縦桟ビス止め枠片７を形成することになる。
【００３８】
このように、金属板の極めて簡単なプレス曲げ加工によって、本発明の要部である縦桟ビス止め金具３を製作することができるのであるから、製作費が極めて安価となり、実用的である。
【００３９】
図４及び図５は、本発明の要部である縦桟ビス止め金具３を用いて軽量鉄骨製縦桟２を建物躯体１の内壁面１ａに取り付ける状態を示すものである。
軽量鉄骨製縦桟２は、図３の仮想線、図４の（ｃ）、図６又は図７に示すように石膏ボード１０が取り付けられる取付面を形成する石膏ボード取付片部２ａと、その両側からＬ状に延び、取付片部２ａを挟んで縦桟ビス止め金具３の取付面を形成する断面コ字状のリップ付きビス止め片部２ｂとからなるリップ付き溝形鋼と、図８に示すように閉鎖断面で石膏ボード１０の取付面を形成する石膏ボード取付片部２ａと、その両側の縦桟ビス止め金具３の取付面を形成するビス止め片部２ｂとからなる角筒状の鋼管との周知の鋼材品が採用される。
【００４０】
図４に示すように、建物躯体１の天井部１ｂと床部１ｃとには夫々天井部側横桟８と床部側横桟９とがビス２０によって取り付けられ、この両横桟８，９間に軽量鉄骨製縦桟２の上下端部が係止される。
【００４１】
そして、縦桟ビス止め金具３の壁体ビス止め板片５をそのビス挿通孔１８（図３参照）からビス４を建物躯体１の内壁面１ａに自動ビスねじ込み機で打ち込み、縦桟ビス止め金具３を躯体内壁面１ａに取り付ける。縦桟ビス止め金具３の縦桟ビス止め枠片７である縦桟ビス止め片部１２，１２をそのビス挿通孔１９（図３参照）からビス６を軽量鉄骨製縦桟２のビス止め片部２ｂに自動ビスねじ込み機によって打ち込む。これによって軽量鉄骨製縦桟２は、その上下端部が建物躯体１の天井部１ｂ及び床部１ｃに両横桟８，９によって係止され、そのビス止め片部２ｂが建物躯体１の内壁面１ａに縦桟ビス止め金具３によって止着されることになる。図６は、軽量鉄骨製縦桟２のビス止め片部２ｂにその自由な対抗間隔位置Ｐ１又はＰ２で、自動ビスねじ込み機によって強制的にビス６が打ち込み形成されるねじ切り孔（タップねじ孔）６ａを仮想線で示す。
【００４２】
ところで、建物躯体１としては、冒頭で述べたように、ＲＣ、ＡＬＣ、コンクリート或いはブロック等が存在するが、例えば縦横６００ｍｍ幅のＡＬＣ板を建物に横縦に多数配設して、これら多数のＡＬＣ板を建物躯体１，１として採用した場合に、例えば図５に示すように、隣接する建物躯体１，１の内壁面１ａ，１ａが凹凸面を呈し、隣接する内壁面１ａ，１ａ間に２ｍｍ〜１０ｍｍの段差ｍが生起することを避けることができないことが経験上判明している。
【００４３】
そして、段差ｍのある躯体内壁面１ａ，１ａに縦桟ビス止め金具３，３をビス６によって軽量鉄骨製縦桟２のビス止め片部２ａにねじ込む際に、躯体内壁面１ａ，１ａに段差ｍが存在しても、軽量鉄骨製縦桟２の取付片部２ａは、これに石膏ボード１０が固着されるために段差が発生せず面一になるようビス止めされなければならない。
【００４４】
これを解決するために、本発明にあっては、図５に示すように、又図４の（ａ），（ｃ）にも示すように、建物躯体１の内壁面１ａに壁体ビス止め板片５によってビス止めされた縦桟ビス止め金具３は、該壁体ビス止め板片５に一体形成された縦桟ビス止め枠片７によって軽量鉄骨製縦桟２を、躯体内壁面１ａに対してその自由な対抗間隔位置Ｐ1又はＰ２で ビス６によって止着可能に形成してなることを特徴とする。すなわち、躯体内壁面１ａと軽量鉄骨製縦桟２の取付片部２ａとの自由な対抗間隔位置Ｐ１又はＰ２で縦桟ビス止め枠片７の縦桟ビス止め片部１２，１２を軽量鉄骨製縦桟２のビス止め片部２ｂにビス６によって止着することができるようにしたため（図６参照）、隣接する躯体内壁面１ａ，１ａ間に段差ｍが生起していても、この段差ｍを吸収する自由な対抗位置Ｐ１又はＰ２に軽量鉄骨製縦桟２とのビス止め位置を変位させ、この変位した対抗間隔位置Ｐ１又はＰ２でビス６によって軽量鉄骨製縦桟２のビス取付片部２ｂに止着することによって、軽量鉄骨製縦桟２，２の石膏ボード取付片部２ａ，２ａに段差が生ぜず面一に形成することができ、これに石膏ボード１０を確実に固着することができるに至ったものである。
【００４５】
ところで、縦桟ビス止め金具３の一対の縦桟ビス止め片部１２，１２にはビス挿通孔１９，１９が形成されているが、これに対し軽量鉄骨製縦桟２にはビスねじ込み孔は何ら形成されておらず、前記一対の縦桟ビス止め片部１２，１２を前記縦桟２にビス６によって止着する際には、前述のように、周知の電動ビスねじ込み機によって一対の縦桟ビス止め片部１２，１２のビス挿通孔１９，１９からビス６を軽量鉄骨製縦桟２に強制的に押圧力をかけ、タップねじ孔をねじ切り形成しながらねじ込むようになっている（図６参照）。これは、軽量鉄骨製縦桟２はその肉厚が薄いため、ビスねじ込み途上で軽量鉄骨製縦桟２に容易にタップねじ孔を形成することができるが、ビスねじ込み前にビス６の押圧力が軽量鉄骨製縦桟２に負荷するため、軽量鉄骨製縦桟２が、図３の仮想線で示す縦桟、図４の（ｃ）、図６又は図７に示すように、軽量鉄骨製縦桟２が、取付片部２ａを挟んで断面コ字状のリップ付きビス止め片部２ｂからなるリップ付き溝形鋼からなる場合には、図９に示すように、ビス６に押されて溝部を狭めるように該リップ付き溝形鋼の互いの対抗するリップ付きビス止め片部２ｂ，２ｂが互いに内側に変形し、これがためにビス６をリップ付き溝形鋼からなる縦桟２にねじ込むことができない事態が発生する。この縦桟２の変形を阻止するために、図１１又は図１２に示すように、縦桟変形阻止片１７、１７がリップ付き溝形鋼の互いの対抗するリップ付きビス止め片部２ｂ，２ｂの内側に突設され、ビス６のねじ込みの際のビス６の押圧力がリップ付きビス止め片部２ｂ，２ｂに負荷すると縦桟変形阻止片１７，１７がリップ付きビス止め片部２ｂ，２ｂに当って、リップ付き溝形鋼からなる縦桟２のリップ付きビス止め片部２ｂ，２ｂの変形が縦桟変形阻止片１７によって阻止されるようになっている。これによって、リップ付き溝形鋼からなる縦桟２は変形することなくビス６を円滑に縦桟２にねじ込むことができる。
【００４６】
なお、図８に示すように、軽量鉄骨製縦桟２が角筒状の鋼管からなる場合には、ビス６のねじ込み途上でビス６の押圧力が軽量鉄骨製縦桟２に負荷するも、該軽量鉄骨製縦桟が角筒状の鋼管から形成されているため、鋼管全周の鋼壁の耐久力によって軽量鉄骨製縦桟２が変形することはない。
【００４７】
又、図１０に示すように、前記縦桟変形阻止片１７のは、前記縦桟ビス止め金具３が形成される途上の展開状態において、上方側の長方形帯板状片１４を基点１７ａとして、下方側の長方形帯板状片１３に向かって切り抜き形成されてなり、前記縦桟ビス止め金具３の組み立て状態において、前記縦桟変形阻止片１７は、図１１に示すように、上方側の長方形帯板状片１４の基点１７ａより切り起こされて縦桟ビス止め金具３の基板片部１１に、前記一対の縦桟ビス止め片部１２，１２間にあって、これに平行に突設されてなるため、製作工程としては、金属板を簡単なプレス曲げ加工によって、連結部１５によって一体に並行して連結された一対の長方形帯板状片１３，１４を製作する際に、図１０に示すように、縦桟変形阻止片１７も同時に切り抜き形成すると共に切り起こすことによって、縦桟変形阻止片１７を略同時に形成することができ、この面からも極めて安価に製作することができる。
【００４８】
又、図１２は、本発明に係る内装用石膏ボード取付方法の施工順序を示している。本発明は、内装用の石膏ボード１０を建物躯体１の段差ｍの生起している内壁面１ａに面して取り付ける内装用石膏ボード取付方法であって、天井部側横桟８と床部側横桟９とは建物躯体１の内壁面１ａの段差ｍに関係なく、定位置に取り付けられるようになっており、この両横桟８，９間に軽量鉄骨製縦桟２が係止されるであるから、軽量鉄骨製縦桟２も定位置に取り付けられることになり、軽量鉄骨製縦桟２に取り付けられる石膏ボード１０も当然に定位置に取り付けられることになる。
【００４９】
このような制約下で、建物躯体１の内壁面１ａが一部凹凸状を呈し段差ｍが生起している場合に、この段差ｍを吸収して定位置の軽量鉄骨製縦桟２が縦桟ビス止め金具３によって建物躯体１の内壁面１ａに取り付けられるようになっている。
【００５０】
このような制約を克服するために、先ず、（ａ）に示すように、建物躯体１の天井部１ｂの予め定められた位置に軽量鉄骨製製の下向きランナーである天井部側横桟８をビス２０によって固着し、床部１ｃの予め定められた位置に同じく軽量鉄骨製の上向きランナーである床部側横桟９を同じくビス２０によって固着し、次に、（ｂ）に示すように、本願の要部である複数の縦桟ビス止め金具３をビス止めすることなく予め内装材である軽量鉄骨製縦桟２に嵌め込んだ状態で、該軽量鉄骨製縦桟２を長手方向に若干撓むようにして天井部側横桟８と床部側横桟９とにわたって係止する。
【００５１】
このように軽量鉄骨製縦桟２を両横桟８，９に係止する前に予め複数の縦桟ビス止め金具３を軽量鉄骨製縦桟２に嵌め込んでおくのは、もし軽量鉄骨製縦桟２を両横桟８，９に係止した後では、縦桟ビス止め金具３を軽量鉄骨製縦桟２に嵌め込むことができないからである。又、複数の縦桟ビス止め金具３をビス止めすることなく軽量鉄骨製縦桟２に嵌め込むのは、図１を参照すれば分かるように、複数の縦桟ビス止め金具３を軽量鉄骨製縦桟２に沿って上下適当間隔に建物躯体１の内壁面１ａにビス止めするためと、その後に縦桟ビス止め金具３を軽量鉄骨製縦桟２にビス止めするためである。
【００５２】
図５は、建物躯体１の横方向に隣接する内壁面１ａ，１ａに段差ｍが生起している場合を示している。図１に図示はしていないが、図４の（ａ）又は（ｃ）に示すように、軽量鉄骨製縦桟２の長手方向上下に隣接する内壁面１ａにも、二点鎖線で示すように、段差ｍが生起しておれば、段差ｍの生起した内壁面１ａ，１ａに夫々縦桟ビス止め金具３の壁体ビス止め板片５をビス止めすれば、縦桟２をビス６によって係止する縦桟ビス止め金具３の縦桟ビス止め枠片７は前記段差ｍ分だけ縦桟２に対するビス止め位置が変わり、この段差ｍ分を吸収した位置で縦桟２にビス止めされなければならない。このような工程を経るために、複数の縦桟ビス止め金具３をビス止めすることなく軽量鉄骨製縦桟２に嵌め込んだ状態で軽量鉄骨製縦桟２を上記天井部側横桟８と床部側横桟９とにわたって定位置に係止されるようにしたものである。
【００５３】
しかして、次に、（ｃ）に示すように、軽量鉄骨製縦桟２に嵌め込んだ複数の縦桟ビス止め金具３を、図１に示すように上下適当間隔に配置して、その壁体ビス止め板片５によって縦桟ビス止め金具３を建物躯体１の内壁面１ａにビス止めする。
【００５４】
その次に、（ｄ）に示すように、縦桟２に嵌め込まれている縦桟ビス止め金具３の縦桟ビス止め枠片７を縦桟２にビス６によって止着するのであるが、図４の（ａ），（ｃ）、図５、図７又は図８に示すように、縦桟ビス止め金具３は躯体内壁面１ａに生起する段差ｍ分だけ縦桟ビス止め枠片７の縦桟ビス止め片部１２，１２による縦桟２に対するビス止め位置は変化しており、この変化した内壁面１ａからの対抗間隔位置Ｐ１又はＰ２で縦桟ビス止め片部１２，１２は縦桟２にビス６によって止着されることになり、これによって定位置に上下に真直に取り付けられる縦桟２に対して、上記偏差ｍ分だけ縦桟２の幅方向に変位した位置Ｐ１又はＰ２で縦桟ビス止め片部１２，１２が縦桟２にビス６によって止着されることになる。なお、上記偏差ｍ分だけ縦桟２の幅方向に変位した位置をＰ１又はＰ２で表わしているが、これは一例であって、上記偏差ｍ分に相当する縦桟２の幅方向に変位した位置はＰ１，Ｐ２‥‥Ｐｎと無段階に変位することは言うまでもない。
【００５５】
このようにして建物躯体１の内壁面１ａの段差ｍを吸収して定位置の縦桟２は縦桟ビス止め金具３によってビス６によって止着され、最後に（ｅ）に示すように、この定位置の縦桟２に石膏ボード１０が安定してビス等によって固着される。
【００５６】
以上のように、本発明によれば、上下端部が天井部側横桟及び床部側横桟に定位置に係止されている軽量鉄骨製縦桟に対して、該軽量鉄骨製縦桟と建物躯体の内壁面との間に本発明の要部である縦桟ビス止め金具を介在させ、不揃い面からなる建物躯体の内壁面の段差を吸収する無段階の対抗間隔位置で縦桟ビス止め金具の縦桟ビス止め枠片によって軽量鉄骨製縦桟がビスで止着されるため、建物躯体１の内壁面が凹凸状に不揃いの段差があっても、縦桟ビス止め金具によって、この段差を吸収して軽量鉄骨製縦桟を定位置に取り付けることが可能となり、したがって、定位置の軽量鉄骨製縦桟に内装材である石膏ボードが定位置に安定して取り付けられることになる。
【００５７】
又、本発明によれば、軽量鉄骨製縦桟を段差のある内壁面に取り付けるために両者間に縦桟ビス止め金具を介在させるだけであるから安価に製作することができると共に、従来の水分の含んだ団子状の接着剤によって石膏ボードを取り付けるという所謂湿式工法による石膏ボードの表面に黴びの発生する恐れがあるのに対し、縦桟ビス止め金具という所謂乾式工法によって石膏ボードを取り付けるようになっているため、当然のことながら石膏ボードの表面に黴びが発生することはなく長期にわたって安定して使用することができる。
【符号の説明】
【００５８】
１      建物躯体
１ａ    内壁面
１ｂ    天井部
１ｃ    床部
２      軽量鉄骨製縦桟
２ａ    取付片部
２ｂ    リップ
２ｃ    ビス止め片部
３      縦桟ビス止め金具
４      ビス
５      壁体ビス止め板片
６      ビス
７      縦桟ビス止め枠片
８      天井部側横桟
９      床部側横桟
１０    石膏ボード
１１    基板片部
１２    縦桟ビス止め片部
１３    下方側の長方形帯板状片
１４    上方側の長方形帯板状片
１５    連結部
１６    板状体
１７    縦桟変形阻止片
１７ａ  基点
【図１】
2019085733.tif 000003
【図２】
2019085733.tif 000004
【図３】
2019085733.tif 000005
【図４】
2019085733.tif 000006
【図５】
2019085733.tif 000007
【図６】
2019085733.tif 000008
【図７】
2019085733.tif 000009
【図８】
2019085733.tif 000010
【図９】
2019085733.tif 000011
【図１０】
2019085733.tif 000012
【図１１】
2019085733.tif 000013
【図１２】
2019085733.tif 000014
【図１３】
2019085733.tif 000015